(57)【要約】【課題】主照明用のランプ以外に光源を用いて演出効果を高めることが可能な薄形の照明器具を提供する。【解決手段】照明器具１は、反射板２ａを有し、天井面Ｃに設けられる器具本体２と、器具本体２に取付けられ、反射板２ａからの反射光が主として天井面Ｃとは反対側に配光されるように設けられる蛍光ランプ６，７と、ＬＥＤ１７ａ〜１７ｃを有し、蛍光ランプ６より器具本体２側の外側であって蛍光ランプ６と略同じ高さの位置に配置され、かつ、光の出射方向が蛍光ランプ６とは対向しない方向となるよう配置された発光ユニット１７と、発光ユニット１７の光出射面側に配置され、発光ユニット１７からの発せられる光を拡散させる光拡散部材１８とを具備している。【選択図】図１
2006236782.tif 000002
【特許請求の範囲】
【請求項１】
反射板を有し、設置壁に設けられる器具本体と；
器具本体に取付けられ、反射板からの反射光が主として設置壁とは反対側に配光されるように設けられる少なくとも１本以上のランプと；
発光体を有し、最外郭のランプより器具本体側の外側であってランプと略同じ高さの位置に配置され、かつ、光の出射方向が最外郭のランプとは対向しない方向となるよう配置された発光ユニットと；
発光ユニットの光出射面側に配置され、発光ユニットから発せられる光を拡散させる光拡散部材と；
を具備することを特徴とする照明器具。
【請求項２】
ランプは四角形状に形成されており、発光ユニットはランプの直管部に沿って配置されていることを特徴とする請求項１記載の照明器具。
【請求項３】
発光ユニットは、赤色系光を発する第１の半導体発光素子、緑色系光を発する第２の半導体発光素子、及び青色系光を発する第３の半導体発光素子を有しており、発光色が異なる半導体発光素子毎に調光可能となっていることを特徴とする請求項１又は２記載の照明器具。
【発明の詳細な説明】
【技術分野】
【０００１】
本発明は、照明器具に関する。
【背景技術】
【０００２】
現在、屋内空間を照らす主照明用のランプの他に、演出用の光源を用いて、例えば、天井面を照らして、演出効果を高めることができる照明器具が提案されている。このような照明器具としては、例えば、器具本体の下面側に設けられた蛍光ランプにより居住空間を照らすことが可能であるとともに、器具本体の上面側に設けられて、前記蛍光ランプとは色温度が異なる白熱ランプにより天井面を照らすことが可能であるものが知られており、蛍光ランプ及び白熱ランプの点灯状態を種々切り換えることで、屋内の雰囲気を変化させることができるものである（例えば、特許文献１参照）。
【特許文献１】特開平２０００−１７３３１０号公報
【発明の開示】
【発明が解決しようとする課題】
【０００３】
しかしながら、器具本体の上面側に白熱ランプが設けられているので、照明器具の厚さ方向の寸法が大きなものとなってしまうものである。これは、白熱ランプは発熱量が大きく、かつ大きさが大きい等のため、器具本体の上面と天井面とは、ある程度隙間を有する必要があったためである。したがって、使用者に対して強い圧迫感を生じさせるおそれがあるため、演出効果を高めることができる照明器具においては、薄形化が望まれている。
【０００４】
本発明は、上記課題を解決するためになされたものである。即ち、主照明用のランプ以外に光源を用いて演出効果を高めることが可能な薄形の照明器具を提供することを目的とする。
【課題を解決するための手段】
【０００５】
請求項１記載の発明は、反射板を有し、設置壁に設けられる器具本体と；器具本体に取付けられ、反射板からの反射光が主として設置壁とは反対側に配光されるように設けられる少なくとも１本以上のランプと；発光体を有し、最外郭のランプより器具本体側の外側であってランプと略同じ高さの位置に配置され、かつ、光の出射方向が最外郭のランプとは対向しない方向となるよう配置された発光ユニットと；発光ユニットの光出射面側に配置され、発光ユニットから発せられる光を拡散させる光拡散部材と；を具備することを特徴とする照明器具である。
【０００６】
器具本体としては、例えば、四角形状、円環状であってもよい。ランプとしては、例えば、四角形状、円環状、三角形状または多角形形状であってもよい。また、ランプの発光管は２重管形や複数管形であってもよい。さらにまた、ランプは環状以外に直管状のものであってもよい。なお、ランプは管径が１５〜２０ｍｍものであれば、器具が薄形化するので、好適である。
【０００７】
発光体は、白熱ランプ、蛍光ランプ、発光ダイオード（以下、「ＬＥＤ」と称する。）又は有機ＥＬ等のいずれでもよい。また、発光ユニットの「光の出射方向が最外郭のランプとは対向しない方向」とは、発光ユニットからの光が器具本体の外周方向に出射されるようになっているものであって、当該外周方向であれば斜め上方、斜め下方又は水平方向等のいずれでもよい。
【０００８】
また、発光ユニットは、上記のように光学制御されているものであるが、この光学制御方法は、例えばＬＥＤのように発光体の特性（指向性）を用いるものであってもよいし、例えば蛍光ランプからの光を導光板方式によって所定方向に光が出射されるように構成するものであってもよい。要するに、発光ユニットからの出射光が所望の方向となるように構成されていれば特に限定されない。
【０００９】
最外郭のランプとは、ランプが複数本ある場合には最も外側のランプを示し、ランプが１本である場合にはそのランプを示すものとする。また、発光ユニットがランプと略同じ高さに配置されているとは、ランプが複数本存在する場合、いずれかのランプと略同じ高さであればよい。ここで、「略同じ高さの位置」とは、ランプと発光ユニットとが必ずしも重なり合う位置に設けられていることを意味するものではなく、ランプと発光ユニットとが重なり合わない位置に設けられていてもよいものである。要するに、本発明の作用を有する程度の位置関係であればよいものである。
【００１０】
なお、発光体としてＬＥＤを用いた場合には、ＬＥＤからの発熱量が少ないために、ランプの外郭に設けたとしてもランプ収容空間内の温度の上昇を抑制することができるので、照明器具を大形化することがないとともに、器具効率を低下させることがない点で好適である。
【００１１】
請求項１記載の照明器具においては、ランプが点灯すると、その光は、主として設置壁とは反対側に配光されるため、例えば屋内空間であれば、その空間の主照明用として用いられる。また、例えば、ランプを消灯させながらも屋内空間を間接的に照明して演出効果を得たい場合には、発光ユニットを動作させることで、屋内雰囲気を変化させることができる。すなわち、発光ユニットからの光は、ランプとは対向しない方向に出射し、かつ、光拡散部材によって拡散されるので、照明器具の外周方向へ照射されるとともに、その一部は設置壁を照射するため、主照明とは異なる演出効果が得られることとなる。
【００１２】
請求項２記載の発明は、ランプが四角形状に形成されており、発光ユニットがランプの直管部に沿って配置されていることを特徴とする請求項１記載の照明器具である。請求項２記載の発明によれば、発光ユニットは略直線上に形成することができるので、この発光ユニットを容易に構成及び製造することができる。
【００１３】
請求項３記載の発明は、発光ユニットが、赤色系光を発する第１の半導体発光素子、緑色系光を発する第２の半導体発光素子、及び青色系光を発する第３の半導体発光素子を有しており、発光色が異なる半導体発光素子毎に調光可能となっていることを特徴とする請求項１又は２記載の照明器具である。請求項３記載の発明によれば、発光ユニットがこれらの半導体発光素子を有しており、かつ発光色が異なる半導体発光素子毎に調光可能となっているので、半導体発光素子から発せられる光により様々な光色を作り出すことができるとともに、光色を変化させることができる。
【発明の効果】
【００１４】
請求項１記載の発明によれば、発光ユニットがランプと略同じ高さの位置に配置されているので、照明器具の薄形化を図ることができる。また、発光ユニットからの光は、ランプとは対向しない方向に出射し、かつ、光拡散部材によって拡散されるので、演出効果を高めることができる。請求項２記載の発明によれば、発光ユニットを容易に構成及び製造することができる。請求項３記載の発明によれば、半導体発光素子から発せられる光により様々な光色を作り出すことができるとともに、光色を変化させることができる。
【発明を実施するための最良の形態】
【００１５】
以下、実施の形態について説明する。図１は本実施の形態に係る照明器具の模式的な垂直断面図であり、図２は本実施の形態に係る照明器具の模式的な平面図であり、図３は本実施の形態に係るセードを取り外した状態の照明器具の平面図であり、図４は本実施の形態に係る他の光拡散部材を使用した照明器具の模式的な垂直断面図である。
【００１６】
図１〜図３に示されるように、照明器具１は、前面に反射板２ａを有し、四角形状に形成された器具本体２等から構成されている。器具本体２の背面及び前面の中央部には、互いに対向するように円状の開口部が形成されている。
【００１７】
器具本体２は、引掛シーリング３に取り付けられたアダプタ４に係止されている。引掛シーリング３は天井面Ｃ（設置壁）に取り付けられている。アダプタ４は、器具本体２に電力を供給するとともに器具本体２を支持するためのものである。
【００１８】
アダプタ４は、ケース４ａ、ケース４ａの下面から突設されたリリースボタン４ｂ、及びリリースボタン４ｂが押されることによりケース４ａ内に収容され、かつリリースボタン４ｂが離されることによりケース４ａ内から突出するように設けられた出没可能な係止爪４ｃ等を備えている。
【００１９】
器具本体２をアダプタ４に係止させるには、リリースボタン４ｂを押した状態で、アダプタ４を器具本体２の開口部に挿入し、リリースボタン４ｂを離す。これにより、係止爪４ｃが器具本体２の前面に引掛かり、器具本体２がアダプタ４に係止される。
【００２０】
器具本体２の内部には、次に説明する蛍光ランプ６，７を点灯させる点灯回路５が配置されている。アダプタ４と点灯回路５とは電気的に接続されており、アダプタ４から点灯回路５に電力が供給されるようになっている。
【００２１】
器具本体２の前面には、反射板２ａからの反射光が主として天井面Ｃとは反対側に配光されるように設けられる四角形状の管径が１５〜２０ｍｍの大小２本の蛍光ランプ６，７が、コネクタ８及びランプホルダ９を介して取付けられている。コネクタ８は、先端部が器具本体２の前面に形成された開口部から突出するように設けられており、コネクタ８には蛍光ランプ６，７の口金（図示せず）が装着されている。コネクタ８は、点灯回路５と電気的に接続されており、蛍光ランプ６，７に電力が供給されるようになっている。
【００２２】
器具本体２の前面であって、蛍光ランプ７の内側には、常夜灯として機能するベビー球１０が取付けられている。また、器具本体２の前面には、矩形のセード１１がセード着脱機構１２を介して着脱可能に取付けられている。
【００２３】
セード１１の背面中央部にはその周囲の部分から盛上がった盛上り部１１ａが形成されており、盛上り部１１ａには矩形状の窓部１１ｂが形成されている。盛上り部１１ａを形成することにより、窓部１１ｂ周辺の強度を高めることができ、窓部１１ｂの縁部から亀裂が入ることを抑制することができる。
【００２４】
セード着脱機構１２は、係合部材１３と、係合部材１３に係合させるための被係合部材１４とから構成されている。
【００２５】
係合部材１３は、取付板１５を介して器具本体２の前面中央部に取付けられている。係合部材１３は、ケース１３ａ、ケース１３ａの下面から突出したリリースボタン１３ｂ、リリースボタン１３ｂが押されることによりがケース１３ａ内に収容され、かつリリースボタン１３ｂが離されることによりケース１３ａ内から突出するように設けられた出没可能な係合部としての係合爪１３ｃ等を備えている。
【００２６】
被係合部材１４は、部材１４ａ，１４ｂ等から構成されており、部材１４ａ，１４ｂで窓部１１ｂの縁部を挟むことによりセード１１に取付けられている。被係合部材１４には、内側に係合部材１３を挿入することができるようケース１３ａの形状に対応した孔が形成されている。また、被係合部材１４の内面４箇所には係合爪１３ｃを係合させるための被係合部としての係合溝１４ｃが形成されている。
【００２７】
セード１１の前面には、リリースボタン１３ｂを自在に被覆及び露出させる安全機構としての矩形の蓋体１６が取付けられている。本実施の形態では、蓋体１６は、被係合部材１４の下面を覆うように被係合部材１４の下面に取付けられている。蓋体１６は、スライドすることにより開閉するように構成されており、蓋体１６を開けることによりリリースボタン１３ｂが露出し、蓋体１６を閉めることによりリリースボタン１３ｂが隠れるようになっている。このように、蓋体１６とリリースボタン１３ｂとを別部材とし、また蓋体１６を取付けることにより、不用意にリリースボタン１３ｂに触れることがなく、かつ不意のセード１１落下を防止することができる。また、蓋体１６を開けると、リリースボタン１３ｂが露出するように構成されているので、リリースボタン１３ｂを容易に発見することができる。なお、リリースボタン１３ｂを覆うことができれば、蓋体１６はねじ込み式であってもよく、このような形態であっても本実施の形態と略同様の作用効果を奏する。また蓋体１６は、円形状であってもよい。
【００２８】
セード１１を器具本体２に取り付ける場合には、蓋体１６を開け、被係合部材１４の内側に係合部材１３が挿入されるように被係合部材１４と係合部材１３との位置合わせをし、セード１１を押し上げる。すると、係合爪１３ｃが係合溝１４ｄに入り込み、係合爪１３ｃと係合溝１６４とが係合される。これにより、セード１１が器具本体２に取り付けられる。そして最後に、蓋体１６を閉める。
【００２９】
セード１１を器具本体２から取り外す場合には、蓋体１６を開け、被係合部材１４の内側に位置した係合部材１３のリリースボタン１３ｂを押す。すると、係合爪１３ｃがケース１３ａ内に収容され、係合爪１３ｃと係合溝１４ｄとの係合が解除される。これにより、セード１１が器具本体２から取り外される。このように、リリースボタン１３ｂを押すことのみで、セード１１を器具本体２から取り外すことができるので、セード１１を器具本体２から容易に取り外すことができる。また、蓋体１６をスライドさせた後、リリースボタン１３ｂを押し、セード１１を器具本体２から取り外すという一連の作業をいずれも作業者が片手ないし両手で容易に行うことができるので、セード１１を取り外す作業者の作業負担を軽減することができる。これは、照明器具１が比較的高所である天井面Ｃに取り付いていることが多いので、セード１１の着脱作業を容易とすることは大変有効となる。
【００３０】
器具本体２とセード１１との間には、複数の発光体を有する発光ユニット１７が配置されている。本実施の形態では、発光体として、ＬＥＤを用いた場合について説明する。発光ユニット１７は、最外郭のランプである蛍光ランプ６より器具本体２側の外側であって蛍光ランプ６と略同じ高さの位置に、かつＬＥＤの光の出射方向が最外郭のランプである蛍光ランプ６とは対向しない方向となるように配置されている。なお、本実施の形態では、蛍光ランプ６と略同じ高さに発光ユニット１７が配置されているが、蛍光ランプ７と略同じ高さに配置されていてもよい。
【００３１】
発光ユニット１７は、蛍光ランプ６のそれぞれの直管部に沿って配置されている。本実施の形態では、蛍光ランプ６が四角形状に形成されているので、４つの発光ユニット１７が全体で四角形状をなすように配置されている。発光ユニット１７は、照射方向を可変可能に構成されていてもよい。
【００３２】
発光ユニット１７は、発光色がそれぞれ異なる少なくとも２種類以上のＬＥＤを有している。本実施の形態では、発光ユニット１７は、赤色系光を発するＬＥＤ１７ａ（第１の半導体発光素子）、緑色系光を発するＬＥＤ１７ｂ（第２の半導体発光素子）、青色系光を発するＬＥＤ１７ｃ（第３の半導体発光素子）を有している。ＬＥＤ１７ａ〜１７ｃは、光出射面が器具本体２の外周側を向くように配置されており、またＬＥＤ１７ａ〜ＬＥＤ１７ｃは、それぞれ交互に配置されている。ＬＥＤ１７ａ〜１７ｃは後述するリモートコントローラ３０の発光ユニット点灯キー３７〜３９により任意に調光可能に構成されている。ＬＥＤ１７ａ〜１７ｃは狭角ビームを発するように構成されている。
【００３３】
ＬＥＤ１７ａ〜１７ｃの光出射面側には、ＬＥＤ１７ａ〜１７ｃから発せられる光を拡散させる光拡散部材１８が配置されている。光拡散部材１８は、金具１９を介して器具本体２の前面に取付けられているとともに発光ユニット１７を挟持している。光拡散部材１８は、例えば乳白アクリル等から構成されている。なお、図４に示されるように光拡散部材１８を配置するとともに光拡散部材１８の内側に発光ユニット１７を配置して、光拡散部材１８を介してＬＥＤ１７ａ〜１７ｃから発せられた光を拡散させてもよい。
【００３４】
発光ユニット１７より器具本体２の外周側であって、発光ユニット１７とほぼ同じ高さの位置には、透明板２０が配置されている。透明板２０は枠状に形成されており、透明板２０の内周縁部付近を光拡散部材１８により挟持することにより透明板２０は器具本体２に保持されている。
【００３５】
透明板２０の前面及び背面には、それぞれ複数のスリット２０ａが形成されている。透明板２０にスリット２０ａを形成することにより、透明板２０に入射した光をスリット２０ａから出射させることができる。
【００３６】
このような照明器具１は、リモートコントローラ３０により点灯を制御することが可能となっている。リモートコントローラ３０は、全灯全光点灯キー３１、全消灯キー３２、アッパー点灯キー３３、ベース点灯キー３４、タイマキー３５，３６、発光ユニット点灯キー３７〜３９を備えている。リモートコントローラ３０には、各キーを通じて入力された設定情報を視覚的に表示する液晶ディスプレイ等が設けられていてもよい。
【００３７】
全灯全光点灯キー３１は押される毎に、蛍光ランプ６，７全光点灯→蛍光ランプ７全光点灯（蛍光ランプ６消灯）→蛍光ランプ６全光点灯（蛍光ランプ７消灯）→発光ユニット１７点灯→消灯に切替えられる。
【００３８】
アッパー点灯キー２５は押される毎に、蛍光ランプ６全光点灯（蛍光ランプ７消灯）→蛍光ランプ６調光点灯（蛍光ランプ７消灯）→消灯に切替られ、ベース点灯キーは押される毎に、蛍光ランプ７全光点灯（蛍光ランプ６消灯）→蛍光ランプ７調光点灯（蛍光ランプ６消灯）→消灯に切替えられる。
【００３９】
タイマキー３５は例えば３０分後に消灯させるためのものであり、タイマキー３６は例えば６０分後に消灯させるためのものである。発光ユニット点灯キー３７は、赤色系光を発するＬＥＤ１７ａの点灯を制御するためのものであり、発光ユニット点灯キー３８は、緑色系光を発するＬＥＤ１７ｂの点灯を制御するためのものであり、発光ユニット点灯キー３９は、青色系光を発するＬＥＤ１７ｃの点灯を制御するためのものである。発光ユニット点灯キー３７〜３９は押される毎に、ＬＥＤ全光点灯→７０％調光点灯→３０％調光点灯→消灯にそれぞれ切替えられる。なお、リモートコントローラ３０にＬＥＤ１７ａ〜１７ｃの調光比率がそれぞれ異なるパターンを多数記憶させておき、状況に応じて所望のパターンを選択するようリモートコントローラ３０を構成してもよい。
【００４０】
本実施の形態では、発光ユニット１７が蛍光ランプ６と略同じ高さの位置に配置されているので、照明器具１の薄形化を図ることができる。また、発光ユニット１７からの光は、蛍光ランプ６とは対向しない方向に出射し、かつ、光拡散部材１８によって拡散されるので、演出効果を高めることができる。なお、本実施の形態では、発光体としてＬＥＤを用いているので、熱的作用の影響なしにより、器具の薄形化を図ることができ、また器具効率の低下を抑制することができる。
【００４１】
ＬＥＤは指向性が強いので、拡散させずに光を出射させると、混色せずにそれぞれの色が現れてしまうおそれがあるが、本実施の形態では、光拡散部材１８を介してＬＥＤ１７ａ〜１７ｃの光を出射させることができるので、ＬＥＤ１７ａ〜１７ｃから発せられた光を混色させることができる。
【００４２】
蛍光ランプ６が円環状に形成されている場合には、発光ユニット１７を蛍光ランプ６の外周に沿って配置することは困難であり、また蛍光ランプ６が円環状に形成されている場合には、器具本体２にセード１１を取付ける取付部は、通常環状に配置されているので、そこに四角形状に発光ユニット１７を配置することは構造上困難である。これに対し、本実施の形態では、蛍光ランプ６を四角形状に形成し、発光ユニット１７を蛍光ランプ６の直管部に沿って配置しているので、発光ユニット１７を直線上に形成でき、発光ユニット１７を容易に構成及び製造することができる。
【００４３】
本実施の形態では、赤色系光を発するＬＥＤ１７ａ、緑色系光を発するＬＥＤ１７ｂ、青色系光を発するＬＥＤ１７ｃを使用して、光色が異なるＬＥＤ１７ａ〜１７ｃ毎に調光可能となっているので、ＬＥＤ１７ａ〜１７ｃから発せられる光により様々な光色を作り出すことができるとともに、光色を変化させることができる。
【００４４】
本実施の形態では、発光ユニット１７を蛍光ランプ６の外側かつ蛍光ランプ６に近接させて配置させているので、蛍光ランプ６，７の点灯時にセード１１等に発光ユニット１７の影が現れ難い。
【００４５】
なお、本発明は上記実施の形態の記載内容に限定されるものではなく、構造や材質、各部材の配置等は、本発明の要旨を逸脱しない範囲で適宜変更可能である。上記実施の形態では、蛍光ランプ６，７を使用しているが、ランプであれば、蛍光ランプ６，７でなくてもよい。
【図面の簡単な説明】
【００４６】
【図１】実施の形態に係る照明器具の模式的な垂直断面図である。
【図２】実施の形態に係る照明器具の模式的な平面図である。
【図３】本実施の形態に係るセードを取り外した状態の照明器具の平面図である。
【図４】実施の形態に係る他の光拡散部材を使用した照明器具の模式的な垂直断面図である。
【符号の説明】
【００４７】
１…照明器具、２…器具本体、２ａ…反射板、６，７…蛍光ランプ、１７…発光ユニット、１７ａ〜１７ｃ…ＬＥＤ、１８…光拡散部材。
【図１】
2006236782.tif 000003
【図２】
2006236782.tif 000004
【図３】
2006236782.tif 000005
【図４】
2006236782.tif 000006